(57)【要約】【課題】洗濯機槽の裏側に付着したカビ、細菌、洗剤等からなるフィルム状の汚れやその他汚染物を、安全かつ効果的に剥離、除去できるとともに、洗浄時の泡立ちが抑えられて使い勝手が良い洗濯機槽用洗浄剤組成物を提供する。【解決手段】（Ａ）ペルオキシ硫酸水素塩を１０〜６０質量％、（Ｂ）過酸化水素放出体を１０〜６０質量％、（Ｃ）アルカリ剤を２〜３０質量％、（Ｄ）アニオン性界面活性剤を０．５〜８質量％、（Ｅ）ポリオキシエチレンアルキルエーテルを０．５〜８質量％、および（Ｆ）下記一般式（Ｉ）で表される化合物を０．１〜３質量％含有してなり、（Ａ）成分と（Ｂ）成分の合計が７０質量％未満であり、かつ［（Ｄ）／（Ｅ）］で表される（Ｄ）成分の含有量と（Ｅ）成分の含有量との質量比の値が０．５以上３．０以下である洗濯機槽用洗浄剤組成物。  HＯ（ＥＯ）n（ＰＯ）m（ＥＯ）n’Ｈ  …（Ｉ）【選択図】  なし【特許請求の範囲】
【請求項１】
（Ａ）ペルオキシ硫酸水素塩を１０〜６０質量％、
（Ｂ）過酸化水素放出体を１０〜６０質量％、
（Ｃ）アルカリ剤を２〜３０質量％、
（Ｄ）直鎖アルキルベンゼンスルホン酸塩、α−オレフィンスルホン酸塩、アルキル硫酸塩、ポリオキシエチレンアルキルエーテル硫酸塩、α―スルホ脂肪酸エステル塩、高級脂肪酸塩、二級アルカンスルホン酸塩、からなる群より選ばれる１種以上のアニオン性界面活性剤を０．５〜８質量％、
（Ｅ）ポリオキシエチレンアルキルエーテルを０．５〜８質量％、および
（Ｆ）下記一般式（Ｉ）で表される化合物を０．１〜３質量％含有してなり、
（Ａ）成分と（Ｂ）成分の合計が７０質量％未満であり、かつ
［（Ｄ）／（Ｅ）］で表される（Ｄ）成分の含有量と（Ｅ）成分の含有量との質量比の値が０．５以上３．０以下であることを特徴とする洗濯機槽用洗浄剤組成物。
HＯ（ＥＯ）n（ＰＯ）m（ＥＯ）n’Ｈ  …（Ｉ）
（式中、ＥＯはオキシエチレン基、ＰＯはオキシプロピレン基を示す。ｎおよびｎ’はエチレンオキサイドの平均付加モル数を示し、ｍはプロピレンオキサイドの平均付加モル数を示す。５０≦（ｎ＋ｎ’）≦３００、１０≦ｍ≦６０、かつ（ｎ＋ｎ’）＞ｍである。）
【請求項２】
請求項１記載の洗濯機槽用洗浄剤組成物を水量に対して０．０５〜３質量％の濃度で使用することを特徴とする洗濯機槽の洗浄方法。
【発明の詳細な説明】
【技術分野】
【０００１】
この発明は特に家庭用洗濯機槽の洗浄に適した洗濯機槽用洗浄剤組成物、およびこれを用いた洗濯機槽の洗浄方法に関する。
【背景技術】
【０００２】
洗濯機槽の裏側に発生する汚れは、カビ、酵母、細菌等の微生物および洗剤由来成分、皮脂などからなり、経時により洗濯機槽裏側に徐々に蓄積してフィルム状に付着する。このような汚れは洗濯機から出る悪臭の原因となるとともに、遊離した汚れが洗濯中に衣類を汚染する不具合を生じている。このような現象は特に脱水漕を兼ねた全自動洗濯機槽で発生し易い。その原因として、特に全自動洗濯機の場合、脱水槽の裏側に洗濯水が残りやすく、カビ汚染が起こりやすい為と考えられる。こうした洗濯機のカビ汚れは衣類の汚染だけではなく、アレルギー性皮膚炎の原因になることが考えられ、現在、調査が進められている。
【０００３】
こうした洗濯機槽裏側の汚れは、洗濯機の構造上、汚れが付着している状況を直接観察することができず、また、汚れが付着している部分には、洗濯機を分解しない限り直接触れることができないため、家庭での汚れ除去は容易ではなく、大変な労力を必要とする。
【０００４】
そこで、家庭用洗濯機槽用の洗浄剤として、主に塩素系または酸素系漂白剤を配合した組成が提案されている。
例えば塩素系漂白剤を用いた例として、下記特許文献１では次亜塩素酸ナトリウムを、特許文献２では塩素化シアヌル酸を主成分とした組成が提示されている。しかし、塩素系漂白剤は酸化力が強い為に、ゴム、金属等に対して腐食性を有し、洗濯機の部品であるガスケット、パッキング類やアルミニウム、鋳鉄、ステンレスといった金属への腐食が懸念される。また誤って酸性洗浄剤と併用すると塩素ガスが発生し、人体に悪影響を及ぼす危険がある。
【０００５】
一方、酸化系漂白剤を用いた例として、特許文献３ではペルオキシ硫酸水素塩と水溶性炭酸塩、特許文献４では過炭酸塩とオルソ珪酸塩からなる組成が提案されているが、いずれも満足できる洗浄効果は得られない。
また特許文献５〜７には、過炭酸ナトリウムの他、漂白活性化剤、界面活性剤及びビルダーを用いた洗濯機槽の洗浄方法についての記載があるが、充分な洗浄効果が得られない。しかも、相当量の界面活性剤を使用した場合、界面活性剤によっては、使用時において、洗濯機を運転中に多量の泡が生じ、洗浄条件によっては洗濯機槽外へのオーバーフローが生じたり、洗浄終了時においても泡に絡まった汚れが洗濯機槽中に残留する等の不都合がある。
【特許文献１】特開昭５９−７１３９９号公報
【特許文献２】特開２００１−３３５７９９号公報
【特許文献３】特開平５−２４７４９６号公報
【特許文献４】特開平３−１２４７９８号公報
【特許文献５】特開平９−２３５５９５号公報
【特許文献６】特開昭６４−４６４９９号公報
【特許文献７】特開平６−４９４８８号公報
【発明の開示】
【発明が解決しようとする課題】
【０００６】
本発明は前記事情に鑑みてなされたもので、洗濯機槽の裏側に付着したカビ、細菌、洗剤等からなるフィルム状の汚れやその他汚染物を、安全かつ効果的に剥離、除去できるとともに、洗浄時の泡立ちが抑えられて使い勝手が良い洗濯機槽用洗浄剤組成物、およびこれを用いた洗濯機槽の洗浄方法を提供することを目的とする。
【課題を解決するための手段】
【０００７】
前記課題を解決するために、本発明の洗濯機槽用洗浄剤組成物は、（Ａ）ペルオキシ硫酸水素塩を１０〜６０質量％、（Ｂ）過酸化水素放出体を１０〜６０質量％、（Ｃ）アルカリ剤を２〜３０質量％、（Ｄ）直鎖アルキルベンゼンスルホン酸塩、α−オレフィンスルホン酸塩、アルキル硫酸塩、ポリオキシエチレンアルキルエーテル硫酸塩、α―スルホ脂肪酸エステル塩、高級脂肪酸塩、二級アルカンスルホン酸塩、からなる群より選ばれる１種以上のアニオン性界面活性剤を０．５〜８質量％、（Ｅ）ポリオキシエチレンアルキルエーテルを０．５〜８質量％、および（Ｆ）下記一般式（Ｉ）で表される化合物を０．１〜３質量％含有してなり、（Ａ）成分と（Ｂ）成分の合計が７０質量％未満であり、かつ［（Ｄ）／（Ｅ）］で表される（Ｄ）成分の含有量と（Ｅ）成分の含有量との質量比の値が０．５以上３．０以下であることを特徴とする。
HＯ（ＥＯ）n（ＰＯ）m（ＥＯ）n’Ｈ  …（Ｉ）
（式中、ＥＯはオキシエチレン基、ＰＯはオキシプロピレン基を示す。ｎおよびｎ’はエチレンオキサイドの平均付加モル数を示し、ｍはプロピレンオキサイドの平均付加モル数を示す。５０≦（ｎ＋ｎ’）≦３００、１０≦ｍ≦６０、かつ（ｎ＋ｎ’）＞ｍである。）
【０００８】
また本発明は、本発明の洗濯機槽用洗浄剤組成物を水量に対して０．０５〜３質量％の濃度で使用することを特徴とする洗濯機槽の洗浄方法を提供する。
【発明の効果】
【０００９】
本発明によれば、洗濯機槽の裏側に付着したカビ、細菌、洗剤等からなるフィルム状の汚れを効果的に除去することができるとともに、洗浄時の泡立ちが抑えられるので使い勝手も良好である。また洗濯機槽の構成部品に対する腐食の心配が少なく、塩素ガス発生のおそれもないため、安全性が高い。
【発明を実施するための最良の形態】
【００１０】
以下、本発明の実施形態について以下に説明する。
本発明に使用される（Ａ）成分としてのペルオキシ硫酸水素塩はＭＨＳＯ５（Ｍ：アルカリ金属塩）で表されるが、不安定な化合物であり、実際に使用される場合は硫酸水素塩や硫酸塩などとの複塩で用いられる。例えば商品名「オキソン」（化学式：２ＫＨＳＯ5・ＫＨＳＯ4・Ｋ2ＳＯ4、デュポン社製）を用いることができる。
（Ａ）ペルオキシ硫酸水素塩は、組成物中に純分換算で１０〜６０質量％含有されていればよく、好ましくは１５〜５０質量％含有される。該（Ａ）成分が１０質量％未満であれば汚れの剥離性が十分に得られない。一方、（Ａ）成分を６０質量％を超えて配合した場合は、洗濯機槽の材質、洗濯機槽への投入量にもよるが洗濯機槽のステンレス部分等の腐食が生じるおそれがある。
【００１１】
（Ｂ）成分としての過酸化水素放出体は、過硫酸水素塩との併用により、かびを含んだスケール状の汚れを効率的に除去できるとともに、汚れを細分化して剥離するのに寄与する。したがって、排水時に汚れが排出され易くなるほか、洗浄直後の洗濯機槽を用いて洗濯したときに、洗濯機槽内に残留していた汚れが衣類に付着しても目立たないので、実質上、消費者にとっての被害を最小限に抑えることができる。
（Ｂ）過酸化水素放出体としては、例えば過酸化水素、過炭酸塩、過ホウ酸塩などが用いられ、塩の具体例としてはナトリウム、カリウムなどのアルカリ金属塩やアンモニウム塩などが挙げられる。例えば、過炭酸ナトリウム（炭酸ナトリウムの過酸化水素付加物）、ペルオクソ炭酸カリウム、ペルオクソ炭酸ナトリウム、ペルオクソホウ酸ナトリウム、トリポリリン酸ナトリウム過酸化水素付加物、ピロリン酸ナトリウム過酸化水素付加物から選ばれる少なくとも１種、又は２種以上を適宜選択して使用することができる。これらの中でも、特にハンドリング面や保存安定性の点で過炭酸ナトリウム（例えば、商品名：ＳＰＣ−Ｚ、ＳＰＣ−Ｇ、ＳＰＣ−Ｄ、いずれも三菱瓦斯化学社製）や、過ほう酸ナトリウム（例えば、商品名：ペルボン、三菱瓦斯化学社製）などが好ましく用いられる。
【００１２】
組成物中における（Ｂ）成分の配合量は１０〜６０質量％の範囲であり、好ましくは２０〜５０質量％である。（Ｂ）成分が１０％未満であると、剥離性及び汚れの細分化が十分に発現しない。上限については特に制約は無いが、６０質量を超えて配合した場合も格別の性能向上は認められず、経済的にも好ましくない。
【００１３】
本発明において、（Ａ）ペルオキシ硫酸水素塩の配合量と（Ｂ）過酸化水素放出体の配合量の合計は、組成物全体に対して７０質量％未満とされる。これらの合計の配合量が７０質量％を超えても格別の効果は得られない。
また、（Ａ）成分と（Ｂ）成分の配合比（質量基準）は、（Ａ）：（Ｂ）が９５：５〜１０：９０の範囲が好ましく、より好ましくは９０：１０〜１５：８５の範囲である。（Ａ）成分と（Ｂ）成分の配合比を上記の範囲とすることにより、優れた汚れの剥離力及び汚れの細分化が発現される。この（Ａ）ペルオキシ硫酸水素塩の前記配合比が１０未満すなわち（Ｂ）過酸化水素放出体の前記配合比が９０超の場合、カビ汚れから発生する起泡により汚れの剥離力は得られるものの、酸化力が低く、汚れの細分化力は充分でない。一方、（Ａ）ペルオキシ硫酸水素塩が９５部を超える場合、汚れの細分化は生じるが、充分な汚れの剥離効果は得られない。
【００１４】
本発明で用いられる（Ｃ）成分としてのアルカリ剤は、好ましくは炭酸塩および珪酸塩からなる群から選ばれる１種以上が用いられる。炭酸塩としては例えば炭酸ナトリウム、炭酸水素ナトリウム、重炭酸ナトリウム、炭酸カリウムナトリウム等などが好ましい。珪酸塩については、好ましくはオルトケイ酸塩及びメタケイ酸塩から選ばれる少なくとも１種であり、水溶性のケイ酸塩が好ましく用いられる。オルトケイ酸塩としては、オルトケイ酸のアルカリ金属塩などが挙げられ、例えば、オルトケイ酸ナトリウム、オルトケイ酸カリウム、オルトケイ酸リチウムなどが例示される。また、メタケイ酸塩としては、メタケイ酸のアルカリ金属塩などが挙げられ、例えば、メタケイ酸ナトリウム、メタケイ酸カリウムなどが挙げられる。
【００１５】
（Ｃ）アルカリ剤の配合量については、望まれる洗浄力を発現させるため、本発明の洗濯機槽用洗浄剤組成物が添加された洗浄液のｐＨを７〜１３、好ましくは８〜１２の範囲に調整できる程度の配合量とされる。該洗浄液のｐHが１３を超えた場合、洗濯機種によっては洗濯機槽の腐食等、材質に影響を与えるおそれがある。
例えば、（Ｃ）成分を、組成物中に２〜３０質量％、好ましくは５〜２５質量％配合することができる。配合量が２質量％未満であると、充分な洗浄力が得られない。一方、配合量が３０質量％を超えても格別の洗浄力向上は認められず、ｐＨが高くなり過ぎる場合もある。
【００１６】
本発明で使用される（Ｄ）成分および（Ｅ）成分は界面活性剤である。前記（Ａ）、（Ｂ）成分に加えて、（Ｄ）（Ｅ）成分を洗濯機槽用洗浄剤組成物に含有させることにより、洗濯機槽に付着した汚れの剥離・除去効果を相乗的に向上させることができる。
【００１７】
（Ｄ）成分はアニオン界面活性剤であり、衣料用粉末洗剤において使用される周知のアニオン界面活性剤を適宜用いることができる。具体的には、直鎖アルキルベンゼンスルホン酸塩、α−オレフィンスルホン酸塩、アルキル硫酸塩、ポリオキシエチレンアルキルエーテル硫酸塩、高級脂肪酸塩、二級アルカンスルホン酸塩、α―スルホ脂肪酸エステル塩からなる群より選ばれる１種以上が好ましく用いられる。中でも、性能の点でより好ましくは直鎖アルキルベンゼンスルホン酸塩が選ばれる。
（Ｄ）成分の配合量は、本組成物全体中に０．５〜８質量％の範囲で配合され、好ましくは１〜６質量％配合することができる。０．５質量％未満では汚れの剥離力を十分に得ることができない他、一旦剥離した汚れが洗濯機槽内に滞留しやすくなる。上限については性能面での制約はないが、８％を超える量を配合しても顕著な効果が認められない。
【００１８】
（Ｅ）成分としては、ノニオン界面活性剤であるポリオキシエチレンアルキルエーテルが用いられる。具体的には、下記一般式（II）で表される化合物である。
Ｒ1−Ｏ−（ＥＯ）ｎ−Ｈ  …（II）
（式中、Ｒ1は炭素数６〜２２の直鎖状または分岐状のアルキル基、アルケニル基、またはアリル基を示し、ＥＯはエチレンオキサイドを示す。ｎはエチレンオキサイドの平均付加モル数を示し、５以上６０以下の数値である。）
前記Ｒ1としての炭素数６〜２２の直鎖状または分岐状のアリル基は、アルキル基又はアルケニル基で置換されているアリル基であってもよい。
（Ｅ）成分を、前記（Ｄ）成分と併用することにより、相乗的に汚れの剥離効果が向上するとともに、主に（Ｄ）成分が寄与する洗浄時の起泡性を抑えることができる。
【００１９】
（Ｅ）成分の配合量は、組成物全体に対して０．５〜８質量％の範囲とされ、好ましくは１〜６質量％の範囲で配合される。（Ｅ）成分の含有量が上記の範囲より少ないと、充分な洗浄力及び消泡効果が得られず、上記の範囲を超えても格別の効果は得られない。
また本発明の洗濯機槽用洗浄剤組成物において、顕著な洗浄効果を得るために、（Ｄ）成分の含有量と（Ｅ）成分の含有量の質量比［（Ｄ）／（Ｅ）］の値が０．５〜３．０の範囲とされる。好ましくは０．７〜２．５の範囲である。
【００２０】
本発明に用いられる（Ｆ)成分は、一般的にオキシエチレンオキシプロピレンコブロックポリマーと総称されており、前記一般式（Ｉ）で表わされる。洗濯機槽用洗浄剤組成物に（Ｆ）成分を適量加えることにより、洗浄効果を損なうことなく、消泡効果を得ることができる。これにより、例えば洗濯機槽用洗浄剤組成物を過剰量使用した際にも、洗浄中のオーバーフローを防止することができる。  
好ましい消泡効果を得るために、（Ｆ）成分の配合量は、組成物全体に対して０．１〜３質量％とされ、好ましくは０．５〜２質量％の範囲とされる。
【００２１】
本発明の洗濯機槽用洗浄剤組成物には、上記（Ａ）〜（Ｆ）成分に加えて、必要に応じてその他の成分を加えてもよい。例えば、硫酸ナトリウム等の工程化剤；トリポリリン酸、ピロリン酸、オルソリン酸、ヘキサメタリン酸等のアルカリ金属塩；エチレンジアミン４酢酸、ヒドロキシイミノ２酢酸、ジヒドロキシエチルグリシン、ニトリロ３酢酸、ヒドロキシエチレンジアミン３酢酸、ジエチレントリアミン５酢酸、トリエチレンテトラミン６酢酸、及びこれらのアルカリ金属塩；アミノトリメチレンホスホン酸、１−ヒドロキシエタン−１，１−ジホスホン酸、エチレンジアミンテトラメチレンホスホン酸、ジエチレントリアミンペンタ−メチレンホスホン酸、アミノトリメチレンホスホン酸等の金属捕捉剤；ｐ−トルエンスルホン酸ナトリウム、キシレンスルホン酸ナトリウム、アルケニルコハク酸ナトリウム、尿素等の可溶化剤；プロテアーゼ、エステラーゼ、リパーゼ、セルラーゼ等の酵素；シリコーンコンパウンド等の消泡剤；ケーキング防止剤；顔料；染料；香料等の任意成分を適宜配合することができる。
また、上記（Ａ）〜（Ｆ）成分を含有する組成での酸化力を上げる為に、漂白活性化剤を配合することができる。かかる漂白活性化剤としては、有機過酸前駆体、金属イオン、金属イオン錯体触媒等を、必要に応じて、適宜配合することができる。
【００２２】
本発明の洗濯機槽用洗浄剤組成物の製品形態は特に限定されないが、好ましくは粉末状とされる。
粉末状の洗濯機槽用洗浄剤組成物は、例えば衣料用粉末洗剤の製造方法に用いられる周知の製造方法を適用して製造することができる。具体的には、噴霧乾燥法、ドライ中和法、乾式造粒法、撹拌造粒法、破砕造粒法、ペースト造粒・乾燥法、湿潤造粒・乾燥法、ドライブレンド法等を用いることができる。中でもドライブレンド法が好ましい。
尚、洗濯機槽用洗浄剤組成物を製造する際に、前記（Ｄ），（Ｅ）、（Ｆ）成分を、各化合物単独の（無機物等に担持されてもよい）原料形態で配合してもよいが、２成分以上若しくは他の原料との混合物を噴霧乾燥により造粒してなる粒子状の形態で配合してもよい。
【００２３】
本発明の洗濯機槽用洗浄剤組成物の使用方法は、洗濯機槽内に高水位まで給水した後、本発明の洗濯機槽用洗浄剤組成物を、洗濯機槽内の水量に対して０．０５〜３．０質量％、好ましくは０．１〜２質量％の濃度となるように添加し、数分間運転して３０分〜数時間放置する。その後、排水を行って再び高水位まで給水した後、数分間運転して洗濯機槽を濯げばよい。
洗浄液（洗濯機槽内の溶液）における洗濯機槽用洗浄剤組成物の濃度が０．０５質量％未満であると、充分な汚れの剥離、除去性能が得られない。洗濯機槽用洗浄剤組成物の使用量の上限については特に制約はないが、洗浄液における濃度が３質量％を超えても格別の性能向上は認められず、経済的に好ましくない。
【実施例】
【００２４】
以下に実施例を用いて本発明をさらに詳しく説明するが、本発明はこれら実施例に限定されるものではない。
（実施例１〜１５、比較例１〜６）
表１，２に示す組成からなる粉末状の試料（洗濯機槽用洗浄剤組成物）、および表３に示す比較例の試料をドライブレンド法により同条件でそれぞれ製造した。表１〜３において各成分の配合量の値は、いずれも純分換算であり、単位は質量％である。
得られた各試料について、下記の洗浄力試験により洗浄力を評価した。また下記の泡高性試験により起泡性を評価した。これらの結果を表１〜３に合わせて示す。
【００２５】
＜洗浄力試験＞
（１）汚れテストピース
黒カビ汚れが付着した全自動洗濯機の洗濯機槽を７ｃｍ×５ｃｍに切断したプラスチック板をテストピースとした。
（２）洗浄及び評価方法
２０℃の水道水１リットルに各試料５ｇを溶解して得られた洗浄液（２０℃）をビーカーに入れ、テストピースを立てた状態で浸漬させた。液温２０℃で２時間浸漬させた後、取り出したテストピースを、別のビーカーに入れておいた２０℃の水道水１リットル中で１０回上下に動かしてすすぎを行った。以上の処理を終えたテストピースを目視により観察して汚れの落ち具合を調べた。処理前のテストピースの写真と比較し、下記基準で評価した。
（３）評価基準
５：８０〜１００％汚れが落ちている。
４：６０〜８０％汚れが落ちている。
３：４０〜６０％汚れが落ちている。
２：２０〜４０％汚れが落ちている。
１：０〜２０％汚れが落ちている。
【００２６】
＜泡高性試験＞
２０℃の水道水に各試料を濃度が０．５質量％となるように添加して溶解させた。得られた溶液３０ｍｌをエプトン管（比色管  １００ＭＬ、販売元  アズワン（株）、容量１００ml、胴径２８mm、長さ２６０ｍｍ）に入れ、１０秒間で３０回振とうさせ、振とうを終えてから５分後の泡の高さを測定した。下記基準で評価した。
○：４０ｍｍ未満
△：４０ｍｍ以上８０mm未満
×：８０ｍｍ以上
【００２７】
【表１】
2005187602.tif 000002
【００２８】
【表２】
2005187602.tif 000003
【００２９】
【表３】
2005187602.tif 000004
【００３０】
表１〜３において注釈（＊）を付した各成分としては、下記の材料を用いた。
*1  ＰＳ−１６(デュポン社製）
*2  ＳＰＣ−Ｇ（三菱瓦斯化学社製）
*3  ペルボン（三菱瓦斯化学社製）
*4  ムスイメタケイソーＤ(広栄化学工業社製）
*5  ソ−ダ灰デンス
*6  ライポンＰＳ−８６０(純分６０質量％、ライオン社製）
*7  コナバルク７０−Ｂ（ミヨシ油脂、純分７０質量％)
*8  リポランＰＪ−４００（ライオン社製、純分９４質量％）
*９  サンノールLM−１１３０（ライオン社製、純分３３質量％)
*10  Hostapur  ＳＡＳ９３(クラリアント社製、純分９３質量％）
*11  エマレックス６４０(日本エマルジョン社製）
*12  BC−４０TX（日光ケミカルズ社製）
*13  EMALEX550(日本エマルジョン社製) 
*14  ニューポールＰＥ−６８(三洋化成社製）
*15  ニューポールＰＥ−１０８(三洋化成社製)
*16  2−4248S(東レダウコーニング社製）
*17  中性無水ぼう硝（日本化学社製）
*18  ニューポールＰＥ−７８(三洋化成社製)